(57)【要約】      （修正有）【課題】簡便に操作することができる上、構造が簡素で低コストな両方向可動構造を有するファイルを提供する。【解決手段】ファイルの両方向可動構造は、底板１０、２つの挟持部材２０及び２つの可動部材３０を備える。底板１０は、挿入口１３が両側部にそれぞれ設けられている。挟持部材２０は、挿入部２１と、挿入部２１に接続された上接続部２２とを有し、挿入部２１は、底板１０の挿入口１３にそれぞれ配置され、上接続部２２には、収納エリア２２１及び掛止部２２２が設けられている。可動部材３０は、サイドパネル３１及び少なくとも１つの接続ピン３２をそれぞれ有し、サイドパネル３１には、挟持軸３１３が設けられ、挟持軸３１３は、収納エリア２２１内に配置されるとともに掛止部２２２に当接され、接続ピン３２が互いに接続されている。【選択図】図１
0003169981.tif 000002
【実用新案登録請求の範囲】
【請求項１】
底板、２つの挟持部材及び２つの可動部材を備える両方向可動構造を有するファイルであって、
前記底板は、挿入口が両側部にそれぞれ設けられ、
前記挟持部材は、挿入部と、前記挿入部に接続された上接続部と、を有し、前記挿入部は、前記底板の前記挿入口にそれぞれ配置され、前記挟持部材それぞれの前記上接続部には、収納エリア及び掛止部が設けられ、
前記可動部材は、サイドパネル及び少なくとも１つの接続ピンをそれぞれ有し、前記サイドパネルには、挟持軸が設けられ、前記挟持軸は、前記挟持部材それぞれの前記収納エリア内にそれぞれ配置されるとともに前記掛止部に当接され、前記可動部材それぞれの接続ピンが互いに接続され、
一方の前記挟持部材が外力の作用を受けると、前記挟持部材と同じ側に設けられた前記挟持軸が前記掛止部から外れ、外力の作用を受けて他方の前記挟持部材の前記収納エリアに配置された他方の前記可動部材の前記挟持軸を軸心として回転し、前記可動部材それぞれの前記接続ピンを外すことが可能となることを特徴とする両方向可動構造を有するファイル。
【請求項２】
前記底板は、頂面から底面にかけて穿設された複数の貫通孔を有し、
前記貫通孔には、複数の締結部材が挿通されて表紙の内面にそれぞれ固定されてなることを特徴とする請求項１に記載の両方向可動構造を有するファイル。
【請求項３】
前記底板の両側の隅部には、枢軸を中心に回動可能な凹溝が設けられ、
前記可動部材の底縁には、２つの前記枢軸がそれぞれ設けられ、
前記枢軸は、前記凹溝内に配置されてなることを特徴とする請求項１に記載の両方向可動構造を有するファイル。
【請求項４】
前記底板の前記挿入口は、２つの前記凹溝の間に設けられ、
前記可動部材の前記挟持軸は、２つの前記枢軸の間に設けられてなることを特徴とする請求項３に記載の両方向可動構造を有するファイル。
【請求項５】
前記挟持部材の前記挿入部の底縁の側部には、前記底板の前記挿入口の底縁に係合されるフック部が突設されてなることを特徴とする請求項１に記載の両方向可動構造を有するファイル。
【請求項６】
前記可動部材の前記サイドパネルには、滑り止めエリアが設けられ、
前記挟持部材の前記上接続部の外側面には、滑り止め部が設けられてなることを特徴とする請求項１に記載の両方向可動構造を有するファイル。
【請求項７】
前記可動部材の前記挟持軸の頂縁には、前記挟持部材の前記掛止部を挿通して前記挟持軸に当接させる中空領域が設けられてなることを特徴とする請求項１に記載の両方向可動構造を有するファイル。
【考案の詳細な説明】
【技術分野】
【０００１】
本考案は、ファイルに関するものであり、さらに詳しくは、両方向可動構造を有するファイルに関するものである。
【背景技術】
【０００２】
従来、市販されているファイルは、パンチを使って孔を開けた書類を留め、冊子形式で綴じていく構造であるため、迅速に頁をめくって閲覧することができる。
【０００３】
しかし、書類が冊子形式で綴じられているため、書類全てを一旦取り出さなければ、下の方に綴じられた一部の書類だけを取り出すことはできないという難点がある。このように、従来の綴じ具は一方向にしか開かないため、使用が不便である。
【０００４】
特開２００３−２８５５８２号公報（以下、「特許文献１」という。）には、書類の閲覧容易性と筆記容易性を改善し、書類の抜き差しが可能に設けられた綴じ具毎に表装体に着脱自在に設けたファイルが記載されている。
【０００５】
また、実用新案登録第３０６４１２２号公報（以下、「特許文献２」という。）には、複数の書類のほぼ同じ位置に貫通孔を形成することができ、貫通孔を形成するときに書類が挟みやすく、製造が容易なファイルが記載されている。
【０００６】
しかし、いずれの特許文献にも両方向可動構造を有するファイルについては開示がない。
【特許文献１】特開２００３−２８５５８２号公報
【特許文献２】実用新案登録第３０６４１２２号公報
【考案の開示】
【考案が解決しようとする課題】
【０００７】
従って、本考案の課題は、簡便に操作することができる両方向可動構造を有するファイルを提供することにある。
【０００８】
本考案のもう一つの課題は、構造が簡素で低コストな両方向可動構造を有するファイルを提供することにある。
【課題を解決するための手段】
【０００９】
そこで、本考案者は、前記の本考案の課題を解決するために、鋭意検討を重ねた結果、底板と二つの挟持部材と二つの可動部材を構成要素とし、下記の如き構造とすることにより前記課題を解決できることに着目し、かかる知見に基いて本考案に想到した。
【００１０】
かくして、上記課題を解決するために、本考案によれば、底板、２つの挟持部材及び２つの可動部材を備える両方向可動構造を有するファイルであって、前記底板は、挿入口が両側部にそれぞれ設けられ、前記挟持部材は、挿入部と、前記挿入部に接続された上接続部と、を有し、前記挿入部は、前記底板の前記挿入口にそれぞれ配置され、前記挟持部材それぞれの前記上接続部には、収納エリア及び掛止部が設けられ、前記可動部材は、サイドパネル及び少なくとも１つの接続ピンをそれぞれ有し、前記サイドパネルには、挟持軸が設けられ、前記挟持軸は、前記挟持部材それぞれの前記収納エリア内にそれぞれ配置されるとともに前記掛止部に当接され、前記可動部材それぞれの接続ピンが互いに接続され、一方の前記挟持部材が外力の作用を受けると、前記挟持部材と同じ側に設けられた前記挟持軸が前記掛止部から外れ、外力の作用を受けて他方の前記挟持部材の前記収納エリアに配置された他方の前記可動部材の前記挟持軸を軸心として回転し、前記可動部材それぞれの前記接続ピンを外すことが可能となることを特徴とするファイルの両方向可動構造が提供される。
【００１１】
前記底板は、頂面から底面にかけて穿設された複数の貫通孔を有し、前記貫通孔には、複数の締結部材が挿通されて表紙の内面にそれぞれ固定されることが好ましい。
【００１２】
前記底板の両側の隅部には、枢軸を中心に回動可能な凹溝が設けられ、前記可動部材の底縁には、２つの前記枢軸がそれぞれ設けられ、前記枢軸は、前記凹溝内に配置されることが好ましい。
【００１３】
前記底板の前記挿入口は、２つの前記凹溝の間に設けられ、前記可動部材の前記挟持軸は、２つの前記枢軸の間に設けられることが好ましい。
【００１４】
前記挟持部材の前記挿入部の底縁の側部には、前記底板の前記挿入口の底縁に係合されるフック部が突設されていることが好ましい。
【００１５】
前記可動部材の前記サイドパネルには、滑り止めエリアが設けられ、前記挟持部材の前記上接続部の外側面には、滑り止め部が設けられていることが好ましい。
【００１６】
前記可動部材の前記挟持軸の頂縁には、前記挟持部材の前記掛止部を挿通して前記挟持軸に当接させる中空領域が設けられていることが好ましい。
【考案の効果】
【００１７】
本考案は、前記の如き構成からなるものであり、二つのいずれかの可動部材を回転させ、接続ピンを外すことができるので、両方向から可動させることができ、書類を容易に取り出すことができる。 
【図面の簡単な説明】
【００１８】
【図１】本考案の一実施形態によるファイルの両方向可動構造を示す分解斜視図である。
【図２】本考案の一実施形態によるファイルの両方向可動構造を示す斜視図である。
【図３】本考案の一実施形態によるファイルの両方向可動構造を使用するときの状態を示す斜視図である。
【図４】本考案の一実施形態によるファイルの両方向可動構造を示す断面斜視図である。
【図５】本考案の一実施形態によるファイルの両方向可動構造を操作するときの状態を示す断面図である。
【図６】本考案の一実施形態によるファイルの両方向可動構造を操作するときの状態を示す断面図である。
【図７】本考案の一実施形態によるファイルの両方向可動構造を操作するときの状態を示す断面図である。
【図８】本考案の一実施形態によるファイルの両方向可動構造を使用するときの状態を示す斜視図である。
【図９】本考案の一実施形態によるファイルの両方向可動構造を使用するときの状態を示す側面図である。
【図１０】本考案の一実施形態によるファイルの両方向可動構造を使用するときの状態を示す模式図である。
【図１１】本考案の一実施形態によるファイルの両方向可動構造を使用するときの状態を示す斜視図である。
【図１２】本考案の一実施形態によるファイルの両方向可動構造を使用するときの状態を示す模式図である。
【考案を実施するための最良の形態】
【００１９】
以下、本考案に係るファイルの一実施形態について図面に基づいて説明する。なお、これらによって本考案が限定されるものではない。
【００２０】
図１〜図１２を参照する。図１〜図１２に示すように、本考案の一実施形態によるファイルの両方向可動構造は、少なくとも底板１０、２つの挟持部材２０及び２つの可動部材３０から構成される。
【００２１】
図１〜図３を参照する。図１〜図３に示すように、底板１０は、頂面から底面にかけて穿設された複数の貫通孔１１を有する。これら複数の貫通孔１１には、複数の締結部材９９が挿通されて表紙９８の内面側にそれぞれ固定される（図３参照）。底板１０は、底板１０の両側の隅部にそれぞれ設けられた凹溝１２を有する。底板１０のそれぞれの側部に設けられた２つの凹溝１２の間には、挿入口１３がそれぞれ設けられている。締結部材９９はリベットなどである。
【００２２】
図１、図２及び図４を参照する。図１、図２及び図４に示すように、これらの挟持部材２０は、挿入部２１と、挿入部２１に接続された上接続部２２と、を有する。挿入部２１の底縁の側部には、フック部２１１が突設され、上接続部２２の頂縁には、収納エリア２２１が凹設されている。収納エリア２２１の内側頂縁には、掛止部２２２が設けられている。収納エリア２２１の外側面には、滑り止め部２２３が設けられている。この滑り止め部２２３は、複数の突条体が配列されて構成される。底板１０の各挿入口１３中には、各挟持部材２０の挿入部２１が挿入され、挿入口１３の底縁に、挟持部材２０のフック部２１１が係合されているため、挟持部材２０が底板１０から外れると、挟持部材２０の滑り止め部２２３を外側に向けることができる。
【００２３】
図１、図２、図４及び図５を参照する。図１、図２、図４及び図５に示すように、これらの可動部材３０は、サイドパネル３１と、サイドパネル３１の内側面から突設された２つの接続ピン３２と、をそれぞれ有する。これら２つの接続ピン３２は、所定の間隔で配置され、サイドパネル３１の外側面には、滑り止めエリア３１１が設けられている。この滑り止めエリア３１１は、複数の突条体が配列されて構成されている。サイドパネル３１の底縁は、２つの枢軸３１２を有する。これら２つの枢軸３１２の間には、挟持軸３１３が設けられている。挟持軸３１３の頂縁には、中空領域３１４が設けられている。底板１０の凹溝１２の中に、各可動部材３０の枢軸３１２をそれぞれ枢着させ、各挟持部材２０の収納エリア２２１内に、各可動部材３０の挟持軸３１３をそれぞれ配置させ、掛止部２２２が中空領域３１４中に挿通されて挟持軸３１３に当接し、挟持部材２０が外力の作用を受けると、可動部材３０が外力の作用を受けて収納エリア２２１に配置された挟持軸３１３の枢軸を中心に回動させ、滑り止めエリア３１１を外側に移動させると、各可動部材３０の接続ピン３２を互いに挿着させたり取り外したりすることができる。
【００２４】
以上は、本考案の一実施形態によるファイルの両方向可動綴じ具構造１００の各構成要素及びその組み合わせ方式を説明したものであり、以下ではその使用方式を説明する。
【００２５】
本実施形態のファイルの両方向可動構造に書類を入れる場合、まず、ユーザは、何れか１つの挟持部材２０の外側の滑り止め部２２３を押圧しながら、挟持部材２０に対して外側から内側に力を加えて内側に僅かに向けると、可動部材３０の中空領域３１４から掛止部２２２が外れ、挟持軸３１３から掛止部２２２が外れる（図６参照）。これにより、ユーザは、すでに外れた挟持部材２０の可動部材３０に対して力を加えながら回転させ（図７及び図８参照）、一方の可動部材３０の接続ピン３２と、他方の可動部材３０の接続ピン３２とを外し、パンチですでに孔が開けられた状態の書類９７を、底板１０に接続された可動部材３０の接続ピン３２に通したり（図９参照）、接続ピン３２から書類を取り出したりすることができる（図１０参照）。また、他方の側の可動部材３０から書類を取り出す場合は、他方の側の挟持部材２０を押圧し、他方の側の可動部材３０を回転させて書類を取り出す（図１１及び図１２参照）。
【００２６】
また、上述の実施形態の可動部材の接続ピンの数は２つであるが、この態様だけに限定されるわけではなく、書類に開けられた孔の数と同じであり、書類を綴じることができる限り幾つでもよい。
【００２７】
当該分野の技術を熟知する者が理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２８】
１０  底板
１１  貫通孔
１２  凹溝
１３  挿入口
２０  挟持部材
２１  挿入部
２２  上接続部
３０  可動部材
３１  サイドパネル
３２  接続ピン
９７  書類
９８  表紙
９９  締結部材
１００  ファイルの両方向可動綴じ具構造
２１１  フック部
２２１  収納エリア
２２２  掛止部
２２３  滑り止め部
３１１  滑り止めエリア
３１２  枢軸
３１３  挟持軸
３１４  中空領域
【図１】
0003169981.tif 000003
【図２】
0003169981.tif 000004
【図３】
0003169981.tif 000005
【図４】
0003169981.tif 000006
【図５】
0003169981.tif 000007
【図６】
0003169981.tif 000008
【図７】
0003169981.tif 000009
【図８】
0003169981.tif 000010
【図９】
0003169981.tif 000011
【図１０】
0003169981.tif 000012
【図１１】
0003169981.tif 000013
【図１２】
0003169981.tif 000014